(57)【要約】      （修正有）【課題】低音域を再生する第１スピーカ部（ウーハ）を有しながらも、全体のサイズをコンパクトにまとめることのできるスピーカ装置を提供する。【解決手段】低音域を再生するウーハ１０と、中高音域を再生するスコーカ、ツィータを有するスピーカ装置であって、前面フレーム１側にスコーカ、ツィータを配置し、底面フレーム２側にスコーカ、ツィータを配置し、底面フレーム２を支持する支持部を備え、底面側から低音域を発するように構成した。底面フレーム２の中央領域に、円錐台状に下方向に突出する補助フレーム２０を取り付け、この補助フレーム２０の円錐台斜面部に低音域再生用の穴２０ｃを形成し、円錐台斜面部により囲まれる中央部２０ｂを支持部として機能させることが好ましい。【選択図】図３
0003126343.tif 000002
【実用新案登録請求の範囲】
【請求項１】
低音域を再生する第１スピーカ部と、中高音域を再生する第２スピーカ部を有するスピーカ装置であって、
前面フレーム側に第２スピーカ部を配置し、底面フレーム側に第１スピーカ部を配置し、
底面フレームを支持する支持部を備え、底面側から低音域を発するように構成したことを特徴とするスピーカ装置。
【請求項２】
底面フレームの中央領域に、円錐台状に下方向に突出する補助フレームを取り付け、この補助フレームの円錐台斜面部に低音域再生用の穴を形成し、円錐台斜面部により囲まれる中央部を前記支持部として機能させることを特徴とする請求項１に記載のスピーカ装置。
【請求項３】
底面フレームの中央領域に、円錐台状に下方向に突出する補助フレームを取り付け、この補助フレームの円錐台斜面部に低音域再生用の穴を形成し、
さらに、底面フレームの四隅に前記支持部として機能する支持脚を取り付けたことを特徴とする請求項１に記載のスピーカ装置。
【請求項４】
後面フレームに空気抜き用の穴を少なくとも１箇所設けたことを特徴とする請求項１〜３のいずれか１項に記載のスピーカ装置。
【請求項５】
全体形状を横長扁平状とし、かつ、上面フレーム側に防滋処理を施していることを特徴とする請求項１〜４のいずれか１項に記載のスピーカ装置。
【考案の詳細な説明】
【技術分野】
【０００１】
本考案は、低音域を再生する第１スピーカ部と、中高音域を再生する第２スピーカ部を有するスピーカ装置に関するものである。
【背景技術】
【０００２】
ハイファイ音響用のスピーカ装置では、低音域を強調するためにウーハ（第１スピーカ部に相当）と、中高音域を再生するスコーカやツィータ（これらは第２スピーカ部に相当）を設けている。
【考案の開示】
【考案が解決しようとする課題】
【０００３】
ウーハは、低音域（周波数が低い領域）を再生するため、音波の波長との関係でサイズが大きくならざるを得ない。従って、各スピーカ部を収納するためのフレームも大型化し、スピーカ装置のサイズも大きくなるという問題があった。
【０００４】
本考案は上記実情に鑑みてなされたものであり、その課題は、低音域を再生する第１スピーカ部（ウーハ）を有しながらも、全体のサイズをコンパクトにまとめることのできるスピーカ装置を提供することである。
【課題を解決するための手段】
【０００５】
上記課題を解決するため本考案に係るスピーカ装置は、
低音域を再生する第１スピーカ部と、中高音域を再生する第２スピーカ部を有するスピーカ装置であって、
前面フレーム側に第２スピーカ部を配置し、底面フレーム側に第１スピーカ部を配置し、
底面フレームを支持する支持部を備え、底面側から低音域を発するように構成したことを特徴とするものである。
【０００６】
かかる構成によるスピーカ装置の作用・効果を説明する。このスピーカ装置は、前面フレーム側に中高音域を再生する第２スピーカ部が配置される。第２スピーカ部は、スコーカとツィータのように周波数領域を分けてもよいし、分けなくてもよい。低音域を再生する第１スピーカ部は、底面フレーム側に配置される。すなわち、底面側から低音域の音が発せられる。従って、特に正面側からスピーカ装置を見た場合、前面フレームの大きさを小さくすることができ、スピーカ装置全体の小型化に寄与できる。また、底面フレーム側に第１スピーカ部を配置したため、全体的に薄型にすることができる。従って、低音域を再生する第１スピーカ部を有しながらも、全体のサイズをコンパクトにまとめることのできるスピーカ装置を提供することができる。なお、各スピーカ部において、配置するスピーカの個数については１個でもよく複数個でもよい。
【０００７】
本発明において、底面フレームの中央領域に、円錐台状に下方向に突出する補助フレームを取り付け、この補助フレームの円錐台斜面部に低音域再生用の穴を形成し、円錐台斜面部により囲まれる中央部を前記支持部として機能させることが好ましい。
【０００８】
かかる構成によれば、底面フレームの中央領域に円錐台状に下方向に突出する補助フレームが取り付けられる。中央部は最も下方向に突出した領域を含んでおり、この中央部が支持部として機能する。従って、この中央部を下にしてそのままスピーカ装置を適宜の場所に設置可能である。また、円錐台斜面部に穴が開いており、ここから低音域の音を出すことができ、そのまま設置したとしても問題はない。さらに、円錐台斜面部から音を発するようにしており、底面フレーム側に第１スピーカ部を配置しながらも、前方に低音域の音が出て行くための空間部を確保している。
【０００９】
本発明において、底面フレームの中央領域に、円錐台状に下方向に突出する補助フレームを取り付け、この補助フレームの円錐台斜面部に低音域再生用の穴を形成し、さらに、底面フレームの四隅に前記支持部として機能する支持脚を取り付けたことが好ましい。
【００１０】
この構成によると、底面フレームの中央領域に円錐台状に下方向に突出する補助フレームが取り付けられる。また、底面フレームの四隅に支持部として機能する支持脚により支持することができる。円錐台斜面部から音を発するようにしており、底面フレーム側に第１スピーカ部を配置しながらも、前方に音が出て行きやすい構造としている。また、支持脚を設けることで、低音域の音を前方に出すための空間部を確保することができる。
【００１１】
本発明において、後面フレームに空気抜き用の穴を少なくとも１箇所設けたことが好ましい。
【００１２】
第１スピーカ部を底部側に配置するため、その駆動時に生じる空気の量も大きくなるため、気流を抜くための穴を少なくとも１箇所後面フレーム側に設ける。これにより、空気の流れをスムーズにし、スピーカ部の駆動を適切に行なうことができる。
【００１３】
本発明において、全体形状を横長扁平状とし、かつ、上面フレーム側に防滋処理を施していることが好ましい。
【００１４】
全体形状を横長扁平状とすることで、上面フレーム側にテレビなどを搭載することができる。かかる場合に、テレビに色ずれなどの障害が生じないように防滋処理を施すことが好ましい。これにより、テレビなどを上に置いたとしても、磁気障害を起こさないようにできる。
【考案を実施するための最良の形態】
【００１５】
本考案にかかるスピーカ装置の好適な実施形態を図面を用いて説明する。図１、図２、図３は、スピーカ装置の外観を示す斜視図であり、図１は上面前方側から見た斜視図であり、図２は、上面背面側から見た斜視図であり、図３は底面前方側から見た斜視図である。
【００１６】
このスピーカ装置は全体形状が薄型扁平状に形成されている。フレームは、前面フレーム１、底面フレーム２、上面フレーム３、背面フレーム４、右側面フレーム５、左側面フレーム６により構成されている。前面フレーム１は、わずかに前方側に凸になるように緩やかに湾曲している。各フレームの上下方向の寸法は１０ｃｍ以下に抑えることができており、薄型構造となっている。
【００１７】
内部には、低音域を再生するウーハ１０（第１スピーカ部に相当）と、中音域を再生する左右一対のスコーカ１１と、高音域を再生する中央のツィータ１２（スコーカ及びツィータは、第２スピーカ部に相当）とが配置されている。ウーハ１０は、底面フレーム２側に配置されており、底面側に向けて音を出すように配置される。スコーカ１１及びツィータ１２は、前面フレーム１側に配置されており、前面側に向けて音を出すように配置される。
【００１８】
図２に示すように、背面フレーム４には、空気抜き用の穴４ａが左右に一対設けられている。内部には、空気の流れを導くためのパイプ７が配置されている。特に、ウーハ１０の場合は、低い周波数での駆動になるため、その動き量も大きくなるため空気の抜け穴が必要である。本考案のように、ウーハ１０を底面側に配置しているため、前面側に配置されるスコーカ１１やツィータ１２との配置が近接しており、かかる空気抜き用の穴４ａが必要となる。これにより、各スピーカを適切に駆動させることができる。
【００１９】
前面フレーム１には、多数の小孔が形成された網目プレート１ａが取り付けられている。この多数の小孔を介して中高音域の音が前面側に発せられる。また、前面フレーム１の中央下部には操作パネル８が設けられており、音量調節ボタンなどが設けられている。背面側には入力パネル９が設けられており、配線接続用の端子９ａ、ＤＣ入力端子９ｂ、電源スイッチ９ｃが配置されている。底面フレーム２の四隅には、支持脚１３（支持部に相当）が取り付け可能であり、ネジにより着脱自在に構成されている。
【００２０】
次に、図４により、底面フレーム２のウーハ１０が取り付けられている中央領域の断面構造を説明する。底面フレーム２の中央領域には、補助フレーム２０がネジ２１により締結されている。補助フレーム２０は、円錐台状に下方向に突出する領域Ａを有している。この領域Ａは、円錐台斜面部２０ａと、この円錐台斜面部２０ａにより囲まれる中央部２０ｂを有している。円錐台斜面部２０ａには、多数の穴２０ｃが形成されており、ウーハ１０が発する低音域の音がこの穴２０ｃを介して発せられる。穴２０ｃは同心円状に２列配置となっており、各穴２０ｃは台形状に形成される。ただし、穴２０ｃの形状や配列に関しては、本実施形態に限定されるものではなく、種々の変形例が考えられる。円錐台斜面部２０ａは図４に示すように、中心に行くほど下方に下がるような形状であり、その下がり方は直線的であるが、曲線的な形状にしてもよい。
【００２１】
中央部２０ｂには穴は形成されておらず、中心に行くほど上方に突出した凹部を有している。凹部の形状は球面などの曲面形状である。なお、中央部２０ｂの形状としては、平面的な形状に形成してもよい。円錐台斜面部２０ａの周囲には同心円的に裾野部２０ｄが設けられており、この裾野部２０ｄを利用してネジ２１により締結が行なわれる。
【００２２】
底面フレーム２に取り付けられる支持脚１３の高さをＨ１、中央部２０ｂにおける底面フレーム２からの高さをＨ２とすれば、Ｈ１≧Ｈ２となるように設定される。これにより、安定して支持脚１３により支持することができる。また、補助フレーム２０を下方向に突出する形に底面フレーム２に取り付けているため、底面フレーム２の下部に空間を形成することができる。従って、底面フレーム２側にウーハ１０を配置したとしても、低音域の音を前面側に発するようにすることができる。特に円錐台斜面部２０ａを設けていることにより、音を前面側に発しやすくしている。
【００２３】
また、支持脚１３を取り外した状態でも、スピーカ装置を設置することができる。この場合、中央部２０ｂにより全体を支持することになる。中央部２０ｂには穴は開いておらず、円錐台斜面部２０ａが設けられているため、音を出すことに対して障害になることはない。この場合、中央部２０ｂが支持部として機能することになる。
【００２４】
図５は、スピーカ装置の上面フレーム３の上にテレビを設置した使用例を示す図である。上面フレーム３には防滋処理が施されており、ＣＲＴ形式のテレビを設置したとしても、色ずれなどの障害が生じることがない。防滋処理としては、公知の技術を用いることができる。
【図面の簡単な説明】
【００２５】
【図１】スピーカ装置を上面前方側から見た斜視図
【図２】スピーカ装置を上面背面側から見た斜視図
【図３】スピーカ装置を底面前方側から見た斜視図
【図４】ウーハが取り付けられている中央領域の断面構造を示す図
【図５】スピーカ装置の上にテレビを設置した使用例を示す図
【符号の説明】
【００２６】
１        前面フレーム
２        底面フレーム
３        上面フレーム
４        背面フレーム
１０      ウーハ
１１      スコーカ
１２      ツィータ
１３      支持脚
２０      補助フレーム
２０ａ    円錐台斜面部
２０ｂ    中央部
２０ｃ    穴
Ａ        領域
【図１】
0003126343.tif 000003
【図２】
0003126343.tif 000004
【図３】
0003126343.tif 000005
【図４】
0003126343.tif 000006
【図５】
0003126343.tif 000007